(57)【要約】    【課題】  １つの画像読取ユニットにより反射原稿と透過原稿とからそれぞれ最適な条件で画像を読み取ることを可能とした画像読取ユニット及び画像読取装置を提供する。    【解決手段】  画像読取装置は、画像読取ユニット1、フィルムガイド102、フィルム用光源ユニット103を備える。画像読取ユニット1は、赤色ＬＥＤ10、緑色ＬＥＤ11、青色ＬＥＤ12、導光体13、第1の光電変換素子アレイ14、第1のロッドレンズアレイ15、第2の光電変換素子アレイ201、第2のロッドレンズアレイ202を備える。反射原稿を読み取る場合は、反射原稿の載置位置に適した焦点位置に調整された第1のロッドレンズアレイ15と第1の光電変換素子アレイ14を用いる。透過原稿を読み取る場合は、透過原稿の載置位置に適した焦点位置に調整された第2のロッドレンズアレイ202と第2の光電変換素子アレイ201を用いる。【選択図】      図３
2005295113.tif 000002
【特許請求の範囲】
【請求項１】
光を反射する反射原稿の反射光を集光する第１の光学手段と、
前記第１の光学手段により集光された反射光に基づいて前記反射原稿の画像を読み取る第１の画像読取手段と、
光を透過する透過原稿の透過光を集光する第２の光学手段と、
前記第２の光学手段により集光された透過光に基づいて前記透過原稿の画像を読み取る第２の画像読取手段とを備え、
前記第１の画像読取手段を実装した第１の基板と前記第２の画像読取手段を実装した第２の基板とを分離して配置すると共に、前記第１の画像読取手段と前記第２の画像読取手段とを異なる平面上に配置したことを特徴とする画像読取ユニット。
【請求項２】
前記第１の画像読取手段及び前記第２の画像読取手段は、それぞれ複数の光電変換素子を配列した光電変換素子アレイであり、
前記第１の光学手段は、前記反射原稿の載置位置に適した焦点位置に調整可能なレンズアレイであり、
前記第２の光学手段は、前記透過原稿の載置位置に適した焦点位置に調整可能なレンズアレイであることを特徴とする請求項１記載の画像読取ユニット。
【請求項３】
前記第１の基板と前記第２の基板とを電気的に接続すると共に、前記第１及び第２の基板の何れか一方に画像読取ユニット外部と電気的に接続する接続手段を配設したことを特徴とする請求項１記載の画像読取ユニット。
【請求項４】
前記第１の画像読取手段と前記第２の画像読取手段との間の高低差は任意に設定可能であることを特徴とする請求項１記載の画像読取ユニット。
【請求項５】
前記請求項１乃至４の何れかに記載の画像読取ユニットと、反射原稿或いは透過原稿が載置される原稿台と、前記画像読取ユニットに内蔵され前記反射原稿を照明する第１の照明手段と、前記原稿台を挟んで前記画像読取ユニットとは反対側に配設され前記透過原稿を照明する第２の照明手段とを備えることを特徴とする画像読取装置。
【請求項６】
前記画像読取ユニットにより前記反射原稿或いは前記透過原稿から読み取られた画像データを処理する処理手段と、前記処理手段により処理された画像データを記憶する記憶手段と、外部装置とデータ通信を行う通信手段とを更に備えることを特徴とする請求項５記載の画像読取装置。
【発明の詳細な説明】
【技術分野】
【０００１】
本発明は、光電変換素子を備えた画像読取ユニット及び該画像読取ユニットを搭載した画像読取装置に関する。
【背景技術】
【０００２】
従来、写真フィルムなどの透過原稿を原稿台ガラスを有するフラットベッド方式の画像読取装置で読み取る際の原稿照射方式としては、光を透過する透過原稿を固定した透過原稿用ガイドユニットを原稿台ガラスの上面に載置して、透過原稿の上から面光源ユニットで照射する方式が主流である（例えば、特許文献１参照）。この方式の画像読取装置においては、一般に、焦点が最も合っている位置が原稿台ガラスの上面０ｍｍの位置、即ち原稿台ガラスに接する位置となるように設計する。その理由は、従来の画像読取装置の主な読取対象原稿が、光を反射する反射原稿であると想定しているからである。
【０００３】
画像読取装置で透過原稿を読み取る場合は、透過原稿用ガイドユニットによって透過原稿を原稿台ガラス面から０．５ｍｍほど浮かして載置するのが一般的である。透過原稿を浮かす理由としては、ニュートンリング（干渉縞）を防ぐという点、或いは、透過原稿が原稿台ガラス面に触れた場合に画像読取ユニットが透過原稿の汚れを拾う（読み取る）ことを防ぐという点が挙げられる。
【０００４】
上述した透過原稿の上から面光源ユニットで照射する方式は、画像読取ユニットに搭載するレンズとしてＣＣＤを用いた縮小光学系のレンズの場合には、被写界深度が深く、原稿台ガラスと透過原稿との間の距離が０．５ｍｍ程度あっても実用上問題はない。
【特許文献１】特開２００３−２１５７３３号公報
【発明の開示】
【発明が解決しようとする課題】
【０００５】
ところが、近年、画像読取ユニットの小型化を目的として、ロッドレンズアレイを用いた等倍光学系の画像読取ユニットが登場している。ロッドレンズアレイは、被写界深度が浅いため、上記ＣＣＤを用いた縮小光学系のレンズと異なり、原稿台ガラスと透過原稿との間の距離が０．５ｍｍ程度あると、焦点がぼやけてしまうという問題がある。また、従来の画像読取装置では、読取対象原稿として主に反射原稿を想定しているため、反射原稿と透過原稿の両方の読み取りに的確に対応できないという問題がある。
【０００６】
本発明の目的は、１つの画像読取ユニットにより反射原稿と透過原稿とからそれぞれ最適な条件で画像を読み取ることを可能とした画像読取ユニット及び画像読取装置を提供することにある。
【課題を解決するための手段】
【０００７】
上述の目的を達成するために、本発明の画像読取ユニットは、光を反射する反射原稿の反射光を集光する第１の光学手段と、前記第１の光学手段により集光された反射光に基づいて前記反射原稿の画像を読み取る第１の画像読取手段と、光を透過する透過原稿の透過光を集光する第２の光学手段と、前記第２の光学手段により集光された透過光に基づいて前記透過原稿の画像を読み取る第２の画像読取手段とを備え、前記第１の画像読取手段を実装した第１の基板と前記第２の画像読取手段を実装した第２の基板とを分離して配置すると共に、前記第１の画像読取手段と前記第２の画像読取手段とを異なる平面上に配置したことを特徴とする。
【０００８】
上述の目的を達成するために、本発明の画像読取装置は、前記画像読取ユニットと、反射原稿或いは透過原稿が載置される原稿台と、前記画像読取ユニットに内蔵され前記反射原稿を照明する第１の照明手段と、前記原稿台を挟んで前記画像読取ユニットとは反対側に配設され前記透過原稿を照明する第２の照明手段とを備えることを特徴とする。
【発明の効果】
【０００９】
本発明によれば、反射原稿を読み取る場合には、第１の光学手段と第１の画像読取手段を用い、透過原稿を読み取る場合には、第２の光学手段と第２の画像読取手段を用いることで、１つの画像読取ユニットにより、反射原稿と透過原稿とからそれぞれ画像を読み取ることが可能となる。また、第１の画像読取手段を実装した第１の基板と第２の画像読取手段を実装した第２の基板とを分離して配置すると共に、前記第１の画像読取手段と前記第２の画像読取手段を異なる平面上に配置することで、任意の焦点位置を実現することが可能となる。
【発明を実施するための最良の形態】
【００１０】
以下、本発明の実施の形態を図面に基づき説明する。
【００１１】
図１は、本実施の形態に係る画像読取装置の構成を示す図であり、（ａ）は斜視図、（ｂ）は断面図、（ｃ）は上面図である。
【００１２】
図１において、画像読取装置は、画像読取ユニット１、ステッピングモータ２、ベルト３、原稿台ガラス４、制御基板５、白色基準板兼原稿規制板７、フラットケーブル８、ホルダ１０１、フィルムガイド１０２、フィルム用光源ユニット１０３等を備えている。
【００１３】
画像読取装置は、画像読取ユニット１により読取対象原稿（透過原稿または反射原稿）から画像を読み取るものであり、ケーブル１０５を介して例えばパーソナルコンピュータからなる外部装置９と接続されている。なお、図１では外部装置９を便宜上実際より小さい形状に図示している。画像読取ユニット１は、ベルト３に固定されたホルダ１０１に装着されている。ステッピングモータ２は、その回転軸からベルト３に循環駆動力を伝達することにより、ベルト３及びホルダ１０１を介して画像読取ユニット１を原稿台ガラス４の長手方向（図１の左右方向）に移動させる。原稿台ガラス４には、透過原稿が装着されたフィルムガイド１０２または反射原稿が載置される。
【００１４】
制御基板５には、図２に示す構成の処理回路が搭載されている。白色基準板兼原稿規制板７は、シェーディング補正用の白色基準板として用いられると共に読取対象原稿を規制する原稿規制板として用いられる。フラットケーブル８は、画像読取ユニット１と制御基板５を電気的に接続する。フィルムガイド１０２には、透過原稿である３５ｍｍ写真フィルム（以下写真フィルムと略称する）６を装着（格納）可能である。フィルム用光源ユニット１０３は、写真フィルム６に光を照射する。ケーブル１０４は、フィルム用光源ユニット１０３と制御基板５を電気的に接続する。
【００１５】
図２は、画像読取装置の制御基板５に搭載された処理回路の構成を示すブロック図である。
【００１６】
図２において、制御基板５には、コンタクトイメージセンサ（以下ＣＩＳと略称する）１２０１Ａ、ＬＥＤドライブ回路１２０１Ｂ、ＬＥＤ１２０１Ｃ、増幅器１２０２、Ａ／Ｄ変換回路１２０３、シェーディング補正回路１２０４、シェーディングＲＡＭ１２０５、ガンマ変換回路１２０６、パッキング／バッファＲＡＭ制御回路１２０７、バッファＲＡＭ１２０８、インターフェース回路１２０９、タイミング信号発生回路１２１１、発振器１２１２、ＣＰＵ１２１３が搭載されている。
【００１７】
画像読取ユニット１は、上述したように、図１に示した原稿台ガラス４上に載置される反射原稿、またはフィルムガイド１０１に格納された写真フィルム６の画像を読み取るためのものであり、反射原稿照明用光源であるＬＥＤ１２０１Ｃもこの画像読取ユニット１に一体化されている。画像読取ユニット１を原稿台ガラス４の原稿面に沿って移動させながら、ＬＥＤドライブ回路１２０１Ｂにより１ライン毎に各色（Ｒ、Ｇ、Ｂ）のＬＥＤを切り替えて点灯させることにより、各色の線順次のカラー画像を読み取ることが可能である。
【００１８】
なお、ＬＥＤ１２０１Ｃ自体は白色光を照射するようなものを用いて、ＬＥＤ１２０１Ｃから反射原稿までのＬＥＤの光路上にＲ、Ｇ、Ｂ（またはＣ、Ｍ、Ｙ、Ｋでもよい）の光学的な色フィルタを設け、上記と同様の手法により各色の線順次のカラー画像を読み取るようにしてもよい。
【００１９】
増幅器１２０２は、ＣＩＳ１２０１から出力された信号を増幅する。Ａ／Ｄ変換回路１２０３は、増幅器１２０２から出力された信号をＡ／Ｄ変換し、例えば８ビットのデジタル信号を得る。シェーディングＲＡＭ１２０５には、画像読取ユニット１により予め白色基準板兼原稿規制板７を読み取ることで得られるシェーディング補正用データが記憶される。シェーディング補正回路１２０４は、画像読取ユニット１により読取対象原稿から読み取られた画像データに対し、シェーディングＲＡＭ１２０５に記憶されたシェーディング補正用データに基づいてシェーディング補正を行う。
【００２０】
ガンマ変換回路１２０６は、画像読取ユニット１により読取対象原稿から読み取られた画像データに対し、外部装置９から予め設定されたガンマカーブに従ってガンマ変換を行う。バッファＲＡＭ１２０８は、画像読取装置の実際の読取動作と、画像読取装置及び外部装置間の通信におけるタイミングとを合わせるために、画像データを一時的に記憶する。パッキング／バッファＲＡＭ制御回路１２０７は、外部装置９から予め設定された画像出力モード（２値、４ビット多値、８ビット多値、２４ビット多値）に従ったパッキング処理を画像データに行った後に、その画像データをバッファＲＡＭ１２０８に書き込む処理を行い、インターフェース回路１２０９にバッファＲＡＭ１２０８から画像データを読み出して出力させる。
【００２１】
インターフェース回路１２０９は、外部装置９との間でコントロール信号の受信や画像データの送信を行う。ＣＰＵ１２１３は、例えばマイクロコンピュータ形態のＣＰＵであり、処理手順を格納したＲＯＭ１２１３Ａ及び作業用のＲＡＭ１２１３Ｂを備えており、ＲＯＭ１２１３Ａに格納された処理手順に従って各部の制御を行う。また、ＣＰＵ１２１３は、ステッピングモータ２駆動用のモータドライバへのモータドライブ信号の出力と、原稿検知センサ（不図示）からの原稿検知信号等の入力を行う。発振器１２１２は、例えば水晶発振器として構成されている。タイミング信号発生回路１２１１は、ＣＰＵ１２１３の設定に応じて発振器１２１２の出力を分周して動作の基準となる各種タイミング信号を発生する。
【００２２】
図３は、画像読取ユニット１の内部構成を示す斜視図である。
【００２３】
図３において、画像読取ユニット１は、上記のＣＩＳ１２０１Ａ、ＬＥＤドライブ回路１２０１Ｂの他に、赤色ＬＥＤ１０、緑色ＬＥＤ１１、青色ＬＥＤ１２、導光体１３、第１の光電変換素子アレイ１４、第１のロッドレンズアレイ１５、第２の光電変換素子アレイ２０１、第２のロッドレンズアレイ２０２、第１の基板１６、第２の基板２０３を備えている。
【００２４】
赤色ＬＥＤ１０、緑色ＬＥＤ１１、青色ＬＥＤ１２は、図２のＬＥＤ１２０１Ｃに対応する。導光体１３は、赤色ＬＥＤ１０、緑色ＬＥＤ１１、青色ＬＥＤ１２から発光する光を画像読取ユニット１の長手方向（図３の紙面奥行き方向）に内部反射を繰り返すことで導くことで長手方向に細長く伸びる光を原稿に照射する。第１の光電変換素子アレイ１４、第２の光電変換素子アレイ２０１は、画像読取ユニット１の長手方向に配置されており、それぞれ第１の基板１６、第２の基板２０３に実装されている。また、第１の光電変換素子アレイ１４、第２の光電変換素子アレイ２０１は、任意の焦点位置を実現するために異なる平面上に高低差Δｈで配置されている。
【００２５】
第１のロッドレンズアレイ１５は、反射原稿からの反射光を集光し第１の光電変換素子アレイ１４に投射するものであり、第１の光電変換素子アレイ１４は、反射原稿からの反射光を電気信号に光電変換する。第２のロッドレンズアレイ２０２は、透過原稿の透過光を集光し第２の光電変換素子アレイ２０１に投射するものであり、第２の光電変換素子アレイ２０１は、透過原稿の透過光を電気信号に光電変換する。また、第１の基板１６と制御基板５（図１）は、コネクタ２２を介してフラットケーブル８により電気的に接続されており、第１の基板１６と第２の基板２０３は、フラットケーブル２０４により電気的に接続されている。
【００２６】
図４は、画像読取ユニット１の第１のロッドレンズアレイ１５及び第２のロッドレンズアレイ２０２を説明するための図である。
【００２７】
図４において、ＴｙｐｅＡは第１のロッドレンズアレイ１５に用いられるロッドレンズを示し、ＴｙｐｅＢは第２のロッドレンズアレイ２０２に用いられるロッドレンズを示している。ＴＣは、ＴｙｐｅＡ及びＴｙｐｅＢの各ロッドレンズを側面から見た場合の焦点位置間の距離（共役長）を表す。この例では、ＴｙｐｅＡの共役長（ＴＣ長）＝１５．１ｍｍ、ＴｙｐｅＢの共役長（ＴＣ長）＝１７ｍｍである。
【００２８】
次に、画像読取装置の動作の概要を説明する。まず、制御基板５上のＣＰＵ１２１３から出力されるモータドライブ信号によりステッピングモータ２が駆動される。ステッピングモータ２の駆動力は、画像読取ユニット１が装着されているホルダ１０１にベルト３を介して伝達される。画像読取ユニット１は、原稿台ガラス４の長手方向に沿って連続的に移動しながら、原稿台ガラス４上に載置された読取対象原稿（反射原稿または透過原稿）を走査する。
【００２９】
ここで、画像読取ユニット１を構成する各光電変換素子アレイ１４，２０１と各ロッドレンズアレイ１５，２０２について更に説明する。図３に示したように、画像読取ユニット１を構成する第１の光電変換素子アレイ１４及び第２の光電変換素子アレイ２０１は、画像読取ユニット１の長手方向に沿って配置されている。
【００３０】
本実施の形態では、第１の光電変換素子アレイ１４は、Ａ４サイズの反射原稿を読み取るために用意されている。第１の光電変換素子アレイ１４は、Ａ４サイズの反射原稿の短手方向（２１０ｍｍ）に６００ＤＰＩ（Dot Per Inch）相当の密度を有するものであり、６４５素子を持つ光電変換セルが８個、直線状に配置されており、合計で５１６０画素分の光電変換素子が第１の基板１６上に並んでいる。第１の光電変換素子アレイ１４は、約２１９ｍｍの読取画像長となり、Ａ４サイズの反射原稿の短手方向に対して平行に移動して読み取るのに適している。
【００３１】
また、第１の光電変換素子アレイ１４に対応する第１のロッドレンズアレイ１５は、読取画像長が第１の光電変換素子アレイ１４と同じ約２１９ｍｍに設定されている。第１のロッドレンズアレイ１５は、ＴＣ長１５．１ｍｍであり、反射原稿が載置される原稿台ガラス４上面と第１の光電変換素子アレイ１４上に最適な焦点を結ぶ位置に配置されている。
【００３２】
一方、第２の光電変換素子アレイ２０１は、写真フィルムなどの透過原稿を高解像度で高速に読み取るために用意されている。第２の光電変換素子アレイ２０１は、２４００ＤＰＩ相当の密度を有するものであり、２５７６素子を持つ光電変換セルが１個設置されている。第２の光電変換素子アレイ２０１は、約２７ｍｍの読取画像長となり、写真フィルムの短手方向の大きさが約２４ｍｍであるから、写真フィルムを短手方向に対して平行に移動して読み取るのに適している。また、第２の光電変換素子アレイ２０１は、読取画像長が短いことから、２４００ＤＰＩでＡ４サイズ（２１０ｍｍ）の読取画像長にした場合に比べて、１ラインあたりの画像転送速度が早くなり、かつコストも安くできる。
【００３３】
また、第２の光電変換素子アレイ２０１に対応する第２のロッドレンズアレイ２０２は、読取画像長が第２の光電変換素子アレイ２０１と同じ約２７ｍｍに設定されている。第２のロッドレンズアレイ２０２は、ＴＣ長１７ｍｍであり、透過原稿が位置する原稿台ガラス４の上面から高さ１ｍｍの位置と第２の光電変換素子アレイ２０１上に最適な焦点を結ぶ位置に配置されている。
【００３４】
図５は、画像読取ユニット１により反射原稿を読み取る場合を示す断面図である。
【００３５】
図５において、画像読取ユニット１の各部には、導光体１３、第１の基板１６に実装された第１の光電変換素子アレイ１４、第１のロッドレンズアレイ１５、第２の基板２０３に実装された第２の光電変換素子アレイ２０１、第２のロッドレンズアレイ２０２、フラットケーブル８を第１の基板１６に接続するためのコネクタ２２が配設されている。反射原稿を読み取る場合は、導光体１３、第１の光電変換素子アレイ１４、第１のロッドレンズアレイ１５を使用する。
【００３６】
図６は、フィルム用光源ユニット１０３及びフィルムガイド１０２の構成を示す斜視図である。
【００３７】
図６において、フィルム用光源ユニット１０３及びフィルムガイド１０２は、写真フィルム６を読み取る場合に用いる。フィルム用光源ユニット１０３は、拡散板１７、フィルム用赤色ＬＥＤ１８、フィルム用緑色ＬＥＤ１９及びフィルム用青色ＬＥＤ２０を内部に備えている。本実施の形態では、拡散板１７は、例えば特開２００１−３４２１０号公報に記載の面光源を用いることができ、その大きさが５０ｍｍ×２５ｍｍであり、写真フィルム６の１コマ分の有効画像領域：約３６ｍｍ×２４ｍｍを照射することができる。
【００３８】
図７は、フィルムガイド１０２に対する写真フィルム６の装着方法を示す斜視図である。
【００３９】
図７において、フィルムガイド１０２は、窓枠６０１、フィルム挟み６０２を備えている。窓枠６０１に写真フィルム６を載置して、フィルム挟み６０２で写真フィルム６を固定する。窓枠６０１の厚みは例えば１ｍｍに設定されている。これにより、写真フィルム６は、原稿台ガラス４の上面に載置した時に原稿台ガラス４の上面から高さ１ｍｍ浮いた状態で載置されることになる。
【００４０】
図８は、画像読取ユニット１により写真フィルムを読み取る場合を示す断面図である。
【００４１】
図８において、画像読取ユニット１の構造は図５に示したものと同じである。写真フィルムを読み取る場合は、フィルム用光源ユニット１０３、第２の光電変換素子アレイ２０１、第２のロッドレンズアレイ２０２を使用する。
【００４２】
次に、上記構成を有する本実施の形態の画像読取装置における動作を図１乃至図８を参照しながら詳細に説明する。
【００４３】
最初に、画像読取装置の画像読取ユニット１により反射原稿を読み取る場合を説明する。
【００４４】
反射原稿４０１の読取時において、図３及び図５に示すように、赤色ＬＥＤ１０、緑色ＬＥＤ１１及び青色ＬＥＤ１２の光は、導光体１３により画像読取ユニット１の長手方向に導かれ照射されることで、原稿台ガラス４上面に到達する。導光体１３から照射された各ＬＥＤ１０、１１、１２の光は、原稿台ガラス４上面に載置された反射原稿４０１で拡散反射され、第１のロッドレンズアレイ１５により集光されて第１の光電変換素子１４上に投射される。
【００４５】
第１のロッドレンズアレイ１５は、図４に示したようにＴＣ長１５．１ｍｍであり、原稿台ガラス４上面と第１の光電変換素子アレイ１４上に最適な焦点を結ぶ位置に配置されており、反射原稿４０１の画像を等倍で第１の光電変換素子アレイ１４上に投射する。反射原稿４０１で反射した各ＬＥＤ１０、１１、１２の光を受けて、第１の光電変換素子アレイ１４には電荷が蓄積され、次の周期の読み取り開始パルス（Ｈｓｙｎｃ）で第１の光電変換素子アレイ１４内の転送部に保存され、画素読み取りクロック（Ｃｌｏｃｋ）によって１画素毎の電気信号として出力される。
【００４６】
赤色ＬＥＤ１０、緑色ＬＥＤ１１及び青色ＬＥＤ１２の点灯は、読み取り開始パルス（Ｈｓｙｎｃ）毎に切り替えられる。画像読取ユニット１の移動に連れて、ＬＥＤドライブ回路１２０１Ｂにより各ＬＥＤ１０、１１、１２を順次点灯させる。各ＬＥＤ１０、１１、１２によって色分解されて検出された画像データは、フラットケーブル８を通して制御基板５から外部装置９に送られ、外部装置９内で画像処理が行われる。
【００４７】
次に、画像読取装置の画像読取ユニット１により透過原稿として写真フィルム６を読み取る場合を説明する。
【００４８】
写真フィルム６の読取時において、写真フィルム６が装着されたフィルムガイド１０２は、原稿台ガラス４の上面に載置されるが、その際、写真フィルム６が画像読取ユニット１を構成する第２の光電変換素子アレイ２０１の有効読取範囲内に入るように載置される。フィルム用赤色ＬＥＤ１８、フィルム用緑色ＬＥＤ１９及びフィルム用青色ＬＥＤ２０の光は、フィルム用光源ユニット１０３の拡散板１７で拡散され、拡散板１７の下面から均一の光が発せられ、写真フィルム６を透過して第２のロッドレンズアレイ２０２により集光されて第２の光電変換素子２０１上に投射される。
【００４９】
第２のロッドレンズアレイ２０２は、図４に示したようにＴＣ長１７ｍｍであり、原稿台ガラス４の上面から高さ１ｍｍと光電変換素子アレイ１４上に最適な焦点を結ぶ位置に配置されており、写真フィルム６の画像を等倍で第２の光電変換素子アレイ２０１上に投射する。写真フィルム６を透過した各ＬＥＤ１８、１９、２０の光を受けて、第２の光電変換素子アレイ２０１には電荷が蓄積される。これ以降の動作は上述した反射原稿の場合と同じである。
【００５０】
ここで、第１の光電変換素子アレイ１４と第２の光電変換素子アレイ２０１は、上述したように、それぞれ第１の基板１６と第２の基板２０３とに分割されて実装されている。これにより、第２のロッドレンズアレイ２０２のＴＣ長１７ｍｍと、原稿台ガラス４上面からの写真フィルム６の高さ１ｍｍから、第２の基板２０３の下面から第１の基板１６の下面までの高さΔｈ（換言すれば第１の光電変換素子アレイ１４と第２の光電変換素子アレイ２０１との間の高低差）を任意に決めることにより、第２のロッドレンズアレイ２０２を、写真フィルム６と第２の光電変換素子アレイ２０１上に最適な焦点を結ぶ位置に配置することが可能となる。
【００５１】
また、第１の基板１６及び第２の基板２０３の電気的な接続は、フラットケーブル２０４で行い、第１の基板１６と制御基板５の電気的な接続は、第１の基板１６に設けられたコネクタ２２に接続されたフラットケーブル８で行うことにより、フラットケーブルを２つの光電変換素子アレイごとに用いる必要がなくなり、部品点数及びコストを低減することが可能となる。
【００５２】
写真フィルム６は、原稿台ガラス４から高さ１ｍｍ浮いた状態に載置されているが、第２のロッドレンズアレイ２０２を用いることにより、焦点位置を合わせることができ、適正な解像力で写真フィルム６の画像を読み取ることができる。
【００５３】
以上説明したように、本実施の形態によれば、第１の光電変換素子アレイ１４、第１のロッドレンズアレイ１５、第２の光電変換素子アレイ２０１、第２のロッドレンズアレイ２０２を備えた１つの画像読取ユニットを搭載した画像読取装置において、反射原稿を読み取る場合には、反射原稿の載置位置に適した焦点位置に調整された第１のロッドレンズアレイ１５と第１の光電変換素子アレイ１４を用いる。また、透過原稿を読み取る場合には、透過原稿の載置位置に適した焦点位置に調整された第２のロッドレンズアレイ２０２と第２の光電変換素子アレイ２０１を用いる。
【００５４】
これにより、従来のような、ロッドレンズアレイを用いた画像読取ユニットによる透過原稿の読み取り時に、原稿台ガラスと透過原稿の間の距離によっては焦点がぼやけるという現象を解消することが可能となり、１つの画像読取ユニット１により、反射原稿と透過原稿とからそれぞれ最適な条件で画像を読み取ることが可能となる。
【００５５】
また、画像読取ユニット１の内部において、第１の光電変換素子アレイ１４と第２の光電変換素子アレイ２０１とを、任意に設定可能な高低差Δｈをもって異なる平面上に配置することで、任意の焦点位置を実現することが可能となる。
【００５６】
また、画像読取ユニット１の内部において、第１の基板１６と第２の基板２０３をフラットケーブル２０４で接続し、第１の基板１６と制御基板５を第１の基板１６に設けたコネクタ２２及びフラットケーブル８で接続することで、画像読取ユニット１と制御基板５を電気的に接続する際に、第１の光電変換素子アレイ１４と第２の光電変換素子アレイ２０１ごとにフラットケーブルの配線を行う必要がなくなり、部品点数及びコストを低減することが可能となる。
【００５７】
［他の実施の形態］
上記実施の形態では、第１の基板１６のコネクタ２２と制御基板５をフラットケーブル８で接続し、第１の基板１６と第２の基板２０３をフラットケーブル２０４で接続した構成を例に挙げた。本発明はこれに限定されるものではなく、第１の基板１６にコネクタを設ける代わりに第２の基板２０４にコネクタを設け、第２の基板２０４のコネクタと制御基板５をフラットケーブル８で接続し、第１の基板１６と第２の基板２０３をフラットケーブル２０４で接続する構成としてもよい。
【図面の簡単な説明】
【００５８】
【図１】本発明の実施の形態に係る画像読取装置の構成を示す図であり、（ａ）は斜視図、（ｂ）は断面図、（ｃ）は上面図である。
【図２】画像読取装置の制御基板に搭載された処理回路の構成を示すブロック図である。
【図３】画像読取ユニットの内部構成を示す斜視図である。
【図４】画像読取ユニットの第１のロッドレンズアレイ及び第２のロッドレンズアレイを説明するための図である。
【図５】画像読取ユニットにより反射原稿を読み取る場合を示す断面図である。
【図６】フィルム用光源ユニット及びフィルムガイドの構成を示す斜視図である。
【図７】フィルムガイドに対する写真フィルムの装着方法を示す斜視図である。
【図８】画像読取ユニットにより写真フィルムを読み取る場合を示す断面図である。
【符号の説明】
【００５９】
１  画像読取ユニット
４  原稿台ガラス（原稿台に対応）
６  写真フィルム（透過原稿に対応）
９  外部装置
１０〜１２  ＬＥＤ（第１の照明手段に対応）
１４  第１の光電変換素子アレイ（第１の画像読取手段に対応）
１５  第１のロッドレンズアレイ（第１の光学手段に対応）
２２  コネクタ（接続手段に対応）
１０３  フィルム用光源ユニット（第２の照明手段に対応）
２０１  第２の光電変換素子アレイ（第２の画像読取手段に対応）
２０２  第２のロッドレンズアレイ（第２の光学手段に対応）
４０１  反射原稿
１２０３  Ａ／Ｄ変換回路（処理手段に対応）
１２０４  シェーディング補正回路（処理手段に対応）
１２０６  ガンマ変換回路（処理手段に対応）
１２０８  バッファＲＡＭ（記憶手段に対応）
１２０９  インターフェース回路（通信手段に対応）
【図１】
2005295113.tif 000003
【図２】
2005295113.tif 000004
【図３】
2005295113.tif 000005
【図４】
2005295113.tif 000006
【図５】
2005295113.tif 000007
【図６】
2005295113.tif 000008
【図７】
2005295113.tif 000009
【図８】
2005295113.tif 000010